(57)【要約】【課題】  少ない消費電力で解除でき、且つ外力による解除が発生しにくくする。【解決手段】  案内路に進入する防火扉の突起に押されて回動する捕捉片の回動力を受けて第１スライドレバー８５が移動することにより、第１スライドレバー８５と第２スライドレバー９０との間に掛けられているコイルバネ９６を伸ばして、第２スライドレバー９０を解除方向、即ち、アーム７５が第２の角度位置へ回動する方向に付勢する。そして、電磁石１０１に対する通電で駆動レバー１０２を回動駆動して、ロックレバー１０７の回動規制および第２スライドレバー９０の移動規制を解除し、コイルバネ９６の付勢力で第２スライドレバー９０を移動させて、アーム７５を第１の角度位置から第２の角度移動へ回動させ、防火扉の突起に対する係支状態を解除する。【選択図】        図８
2005220691.tif 000002
【特許請求の範囲】
【請求項１】
防火扉の突起を受け入れるための開口部と、該開口部から受け入れた突起を内部に直線的に案内する案内路とを有するケース（３１、３２）と、
前記ケース内の前記案内路から離間した位置に立設された第１の軸（３４）と、
前記第１の軸に回動自在に取り付けられ、前記案内路と交差する方向に延びた第１腕部と、前記防火扉の突起が前記第１腕部を押して所定位置まで進入したとき、前記開口部寄りの前記案内路と交差する位置まで移動して、前記防火扉の突起の戻りを規制する第２腕部とを有し、該第２腕部が前記案内路から離間する方向に回動付勢された第１の回動レバー（４１、４６）と、
前記ケース内の前記案内路から離間した位置に前記第１の軸と平行に立設された第２の軸（３５）と、
前記第２の軸に回動自在に取り付けられ且つ前記第１の回動レバーの外周部に接する方向に回動付勢され、前記第１の回動レバーの第２腕部が前記案内路に交差する位置まで回動したときに、該第１の回動レバーの外周部に係合して該第１の回動レバーの戻りを規制する第２の回動レバー（７０）と、
前記第１の軸に回動自在に取り付けられ、且つ前記第１の回動レバーと反対方向に回動付勢され、該付勢方向に回動したとき前記第２の回動レバーに当接して、第１の回動レバーの外周部に対する係合を解除させる第３の回動レバー（６０）と、
前記第１の軸の近傍で該第１の軸と直交する方向に設けられた第３の軸（３６）と、
前記第３の軸に回動自在に取り付けられ、前記第３の回動レバーに当接可能な腕部を有し、第１の角度位置にあるときには、前記腕部を前記第３の回動レバーに当接させその回動を規制し、前記第１の角度位置から所定角度回動した第２の角度位置で前記腕部を前記第３の回動レバーから離間させ、その回動規制を解除する第４の回動レバー（７５）と、
非通電時には前記第４の回動レバーを前記第１の角度位置に保持し、通電時には、前記第４の回動レバーを前記第１の角度位置から第２の角度位置まで回動させて、該第４の回動レバーの前記第３の回動レバーに対する回動規制を解除する解除機構とを有する防火扉の係支装置において、
前記解除機構を、
前記第４の回動レバーに一端側が連結され、該第４の回動レバーの角度を変化させる方向にスライド自在に設けられた第１スライドレバー（８５）と、
前記第１スライドレバーの近傍に平行に配置され、前記防火扉の突起が進入する際の前記第１の回動レバーの回動力を一端側で受けて、前記第１スライドレバーに沿ってスライド移動する第２スライドレバー（９０）と、
前記第１スライドレバーと第２スライドレバーの間に掛け渡され、前記第１スライドレバーを前記第４の回動レバーの前記解除方向に付勢するバネ（９６）と、
中間部または一端側で前記第１スライドレバーの他端側と交差状態で係合し、該第１スライドレバーの移動にともなって他端側を回動させる第５の回動レバー（１０７）と、
電磁石（１０１）と、
前記第５の回動レバーの他端側に一端側を当接させてその回動を規制し、前記電磁石の通電によって前記第５の回動レバーに対する当接を解除する方向に回動する駆動レバー（１０２）とによって構成したことを特徴とする防火扉の係支装置。
【発明の詳細な説明】
【技術分野】
【０００１】
本発明は、ビル等の建造物に設置される防火扉を平常は壁面に係支しておき、火災発生時に遠隔操作等によってその係支を解除して防火扉を閉じるための係支装置において、解除時の消費電力を低減するための技術に関する。
【背景技術】
【０００２】
上記防火扉の係支装置として、本願出願人は次の特許文献１に示された構造の係支装置を提案している。
【０００３】
【特許文献１】特公平３−１９３５０号公報
【０００４】
この特許文献１の係支装置は、ケース内に立設された軸に、略Ｌ字形の回動レバー（係支片、捕捉片）を回動自在に取り付けるとともに、その回動レバーの一方の腕部が防火扉の突起の案内路に交差する状態に回動付勢し、案内路に進入してきた突起で回動レバーの一方の腕部を押して回動させ、他方の腕部が案内路に交差する位置に達したときに、回動レバーの外周部に制止片の係合させて回動レバーの戻りを規制して、突起を係支状態にする。
【０００５】
一方、回動レバーと同心に取り付けられ、回動レバーと反対方向に付勢されているトリガ板の回動を、回動自在なアームの一方の腕部で規制しておき、係支解除時には、アームを回動させて、その一方の腕部によるトリガ板の回動規制を解除して、トリガ板を回動させて、その回転力を制止片に与えて、制止片による回動レバーの回動規制を解除し、防火扉の突起が案内路から抜けようにしている。
【０００６】
なお、上記特許文献には示されていないが、上記従来装置では、図１１の（ａ）に示すように、コイルバネ２０ａによって突出方向に付勢されている軸２０ｂを通電により引き込むソレノイド２０と、ソレノイド２０の軸２０ｂに一端側が連結され他端側が、アーム１０の他方の腕部１０ｂに係合するスライドレバー２１とによって解除機構が形成されており、図１１の（ｂ）のように、ソレノイド２０に通電してその軸２０ｂを引き込み、スライドレバー２１をスライドさせることでアーム１０を回動させ、アーム１０の一方の腕部１０ａをトリガ板１１から離間させて、その回動規制を解除している。
【発明の開示】
【発明が解決しようとする課題】
【０００７】
ところで、近年の建築基準法改正により、防火扉の設置対象としてエレベータの周囲が追加指定された。
【０００８】
エレベータの周囲は建物の各階毎にあるため、その防火扉の数も多くなり、これを係支する装置の数も必然的に多くなり、係支装置の消費電力の低減、即ち、上記ソレノイド２０の消費電力の低減が望まれている。
【０００９】
ソレノイド２０の電力消費を低減する方法として、コイルバネ２０ａを弱いものにして、少ない電流で軸２０ｂを引き込む方法があるが、コイルバネ２０ａを弱くした場合、地震等による軸２０ｂの長さ方向への外力の印加で、軸２０ｂが引込方向に移動し、防火扉の突起に対する係支状態が解除される恐れがある。
【００１０】
これを防ぐために、例えば図１２に示すように、ソレノイド２０の軸２０ｂと同等のバランス軸２３をソレノイド２０の軸２０ｂに対して平行に配置するとともに、中央部を支点として回動自在なバランスアーム２４の一端側とソレノイド２０の軸２０ｂの先端との間を連結し、バランスアーム２４の他端側とバランス軸２３の先端との間を連結する機構も実現されている。
【００１１】
この機構のようにバランス軸２３を、バランスアーム２４を介してソレノイド２０の軸２０ｂに連結したことで、ソレノイド２０の軸２０ｂをその長さ方向に移動させるような外力Ｆが印加されたとき、バランス軸２３も同時にその外力を同一方向に受けるので、両軸の長さ方向の動きは互いに規制される。
【００１２】
しかし、このようなバランス構造のものでは、通電時にバランスアーム２４を移動させる分の力が必要となり、コイルバネ２０ａを弱くしたことによる電力の低減分が十分に生かされない。
【００１３】
本発明は、この事情に鑑みてなされたものであり、外力による解除が発生しにくく、消費電力を低減した防火扉の係支装置を提供することを目的としている。
【課題を解決するための手段】
【００１４】
前記目的を達成するために、本発明の請求項１の防火扉の係支装置は、
防火扉の突起を受け入れるための開口部と、該開口部から受け入れた突起を内部に直線的に案内する案内路とを有するケース（３１、３２）と、
前記ケース内の前記案内路から離間した位置に立設された第１の軸（３４）と、
前記第１の軸に回動自在に取り付けられ、前記案内路と交差する方向に延びた第１腕部と、前記防火扉の突起が前記第１腕部を押して所定位置まで進入したとき、前記開口部寄りの前記案内路と交差する位置まで移動して、前記防火扉の突起の戻りを規制する第２腕部とを有し、該第２腕部が前記案内路から離間する方向に回動付勢された第１の回動レバー（４１、４６）と、
前記ケース内の前記案内路から離間した位置に前記第１の軸と平行に立設された第２の軸（３５）と、
前記第２の軸に回動自在に取り付けられ且つ前記第１の回動レバーの外周部に接する方向に回動付勢され、前記第１の回動レバーの第２腕部が前記案内路に交差する位置まで回動したときに、該第１の回動レバーの外周部に係合して該第１の回動レバーの戻りを規制する第２の回動レバー（７０）と、
前記第１の軸に回動自在に取り付けられ、且つ前記第１の回動レバーと反対方向に回動付勢され、該付勢方向に回動したとき前記第２の回動レバーに当接して、第１の回動レバーの外周部に対する係合を解除させる第３の回動レバー（６０）と、
前記第１の軸の近傍で該第１の軸と直交する方向に設けられた第３の軸（３６）と、
前記第３の軸に回動自在に取り付けられ、前記第３の回動レバーに当接可能な腕部を有し、第１の角度位置にあるときには、前記腕部を前記第３の回動レバーに当接させその回動を規制し、前記第１の角度位置から所定角度回動した第２の角度位置で前記腕部を前記第３の回動レバーから離間させ、その回動規制を解除する第４の回動レバー（７５）と、
非通電時には前記第４の回動レバーを前記第１の角度位置に保持し、通電時には、前記第４の回動レバーを前記第１の角度位置から第２の角度位置まで回動させて、該第４の回動レバーの前記第３の回動レバーに対する回動規制を解除する解除機構とを有する防火扉の係支装置において、
前記解除機構を、
前記第４の回動レバーに一端側が連結され、該第４の回動レバーの角度を変化させる方向にスライド自在に設けられた第１スライドレバー（８５）と、
前記第１スライドレバーの近傍に平行に配置され、前記防火扉の突起が進入する際の前記第１の回動レバーの回動力を一端側で受けて、前記第１スライドレバーに沿ってスライド移動する第２スライドレバー（９０）と、
前記第１スライドレバーと第２スライドレバーの間に掛け渡され、前記第１スライドレバーを前記第４の回動レバーの前記解除方向に付勢するバネ（９６）と、
中間部または一端側で前記第１スライドレバーの他端側と交差状態で係合し、該第１スライドレバーの移動にともなって他端側を回動させる第５の回動レバー（１０７）と、
電磁石（１０１）と、
前記第５の回動レバーの他端側に一端側を当接させてその回動を規制し、前記電磁石の通電によって前記第５の回動レバーに対する当接を解除する方向に回動する駆動レバー（１０２）とによって構成したことを特徴としている。
【発明の効果】
【００１５】
このように、本発明の防火扉の係支装置では、案内路に進入する防火扉の突起に押されて回動する第１の回動レバーの回動力を受けて第１スライドレバーが移動することにより、第１スライドレバーと第２スライドレバーとの間に掛けられているバネを伸ばして、第２スライドレバーを解除方向、即ち、第４の回動レバーが第２の角度位置へ回動する方向に付勢する。そして、電磁石に対する通電で駆動レバーを回動駆動して、第５の回動レバーの回動規制および第２スライドレバーの移動規制を解除し、前記したバネの付勢力で第２スライドレバーを移動させて、第４の回動レバーを第１の角度位置から第２の角度移動へ回動させ、防火扉の突起に対する係支状態を解除している。
【００１６】
このように、防火扉の突起が進入したときに蓄えたバネの力を利用して、第２スライドレバーをスライドさせており、電磁石は、この第２スライドレバーの移動を規制している第５の回動レバーの規制を解除するためだけに使用されるので、従来のように、ソレノイドによって直接第２スライドレバーをスライド駆動する機構に比べ、格段にその消費電力を低減することができる。
【００１７】
また、電磁石により駆動レバーを回動させて解除する構造なので、ソレノイドのように軸を引き込む構造に比べて、外力の影響を受けにくく、外力で防火扉の突起に対する係支状態が解除される恐れが少ない。
【発明を実施するための最良の形態】
【００１８】
以下、図面に基づいて本発明の実施の形態を説明する。
図１〜図５は、本発明を適用した係支装置３０の構造を示している。
【００１９】
この係支装置３０は、図１に示しているように、矩形箱型の下シャーシ３１と上シャーシ３２とを重ね合わせて一体化されたケースを有している。
【００２０】
下シャーシ３１は、図２、図３に示しているように、底板３１ａ、前板３１ｂ、後板３１ｃ、左側板３１ｄ、右側板３１ｅとにより形成され、前板３１ｂの中央は、防火扉の突起Ｐを受け入れるための開口を形成するように切欠かれており、底板３１ａの中央には、この開口と連続し防火扉の突起Ｐを内部に直線的に案内する案内路を形成する案内溝３３が形成されている。
【００２１】
この案内溝３３の奥端の近傍で左側板３１ｄ寄りの位置には第１の軸３４が立設され、案内溝３３の入り口近傍の左側方には第２の軸３５が立設されている。
【００２２】
また、第１の軸３４の近傍で且つ後板３１ｃの内壁には、第１の軸３４と直交する第３の軸３６が設けられ、この第３の軸３６には、後述するアーム７５が回動自在に取り付けられている。
【００２３】
第１の軸３４には、この実施形態の第１の回動レバーを構成する係支片４１と捕捉片４６とが重ね合わされて一体化されて回動自在に取り付けられている。
【００２４】
係支片４１は、第１の軸３４を挿通させる穴４２が設けられている基部４１ａと、基部４１ａからほぼ一定幅で案内溝３３と交差し下シャーシ３１の右側板３１ｅ側に延びた第１腕部４１ｂと、基部４１ａから第１腕部４１ｂと直交する方向に延びた第２腕部４１ｃとによって略Ｌ字状に形成されている。
【００２５】
第１腕部４１ｂの先端の後板３１ｃ寄りの側縁には立上げ片４３が形成され、その立上げ片４３の中央にはネジ溝を有する穴４４が設けられている。また、第２腕部４１ｃの先端面には段部４５が形成されている。
【００２６】
一方、捕捉片４６は、第１の軸３４を挿通させる穴４７が設けられている略半円状の基部４６ａと、基部４６ａからほぼ一定幅で案内溝３３と交差して右側板３１ｅ側に延びた第１腕部４６ｂと、基部４６ａから第１腕部４６ｂと直交する方向に延び、さらに第１腕部４６ｂと平行に対向する方向に延びた第２腕部４６ｃとを有している。
【００２７】
捕捉片４６の第１腕部４６ａの中央部および先端部には、立上げ片４８、４９、５０がそれぞれ形成され、立上げ片５０の中央にはネジを挿通させるための穴５１が設けられている。また、基部４６ａ上には円柱状のピン５２が立設されている。
【００２８】
係支片４１と捕捉片４６は、互いの第１腕部同士、第２腕部同士が重なりあう状態で第１の軸３４に取り付けられ、係支片４１の立上げ片４３の穴４４には、捕捉片４６の立上げ片５０の穴５１を通過するネジ５３が螺着され、そのネジ５３の頭部と捕捉片４６の立上げ片５０との間には、コイルスプリング５４が挟まれている。
【００２９】
係支片４１と捕捉片４６は、このコイルスプリング５４の反発力によって互いに重なりあった状態で一体的に回動できるようになっており、非常時等で防火扉が開く方向に強い力が付与され、コイルスプリング５４の反発力より強い力が捕捉片４６に時計回りに与えたときに、捕捉片４６が時計回りに回動して強制解除できるようになっている。
【００３０】
トリガ板６０は、この実施形態の第３の回動レバーを構成するものであり、略円板状で中央に第１の軸３４を挿通させる穴６１が設けられた基部６１ａと、基部６１ａの外縁から後方に扇状に突出する突出部６１ｂを有し、突出部６１ｂの右縁には、捕捉片４６の基部４６ａの端面に当接可能な立下げ片６２が設けられている。
【００３１】
また、基部６１ａの外縁で突出部６１ｂのほぼ反対側の位置には、立上げ片６３が設けられている。
【００３２】
第１の軸３４の上部には、第１スプリング６５および第２スプリング６６が取り付けられている。
【００３３】
第１スプリング６５の一端は、捕捉片４６の立上げ片４９に掛けられ、他端側は下シャーシ３１の後板３１ｃに掛けられており、係支片４１および捕捉片４６は、この第１スプリング６５によって時計回り（図２において）、即ち、捕捉片４６の第２腕部が案内溝３３から退避する方向に回動付勢される。
【００３４】
第２スプリング６６の一端側は、捕捉片４６の立上げ片４９に掛けられ、他端側はトリガ板６０の立下げ片６２に掛けられており、捕捉片４６に対してトリガ板６０を反時計回り（図２において）に回動付勢する。
【００３５】
一方、第２の軸３５には、この実施形態の第２の回動レバーを構成する制止片７０が回動自在に取り付けられている。
【００３６】
制止片７０は、第２の軸３５を挿通させる穴７１が設けられている基部７０ａと、基部７０ａから係支片４１の第２腕部４１ｃの外周に接する方向に延びた第１腕部７０ｂと、基部７０ａからトリガ板６０の立上げ片６３に当接可能な高さをもって第１の軸方向に延びた第２腕部７０ｃとを有し、第３スプリング７１によって反時計回りに回動付勢されている。
【００３７】
第１腕部７０ｂの先端は、係支片４１の外周に接しており、防火扉の突起Ｐが進入してきて係支片４１と捕捉片４６が反時計回りに回動して、捕捉片４６の第２腕部４６ｃが案内溝３３と交差する位置まで達したときに、係支片４１の外周の段部４５に係合して、係支片４１および捕捉片４６の時計回り（図２において）の回動を規制する。
【００３８】
前記した第３の軸３６に回動自在に取り付けられたアーム７５は、この実施形態の第４の回動レバーを構成するものであり、下シャーシ３１の後板３１ｃに接している基部７５ａと、基部３５ａの側縁から捕捉板４６の基部４６ａの上面に延び、トリガ板６０の突出部６０ｂの端面に当接可能な第１腕部７５ｂと、基部７５ａから上方にＵ字状に延びた第２腕部７５ｃとを有しており、第２腕部７５ｃが直立した第１の角度位置で、第１腕部７５ｂはトリガ板６０の突出部６０ｂの端面に当接する高さとなり、第２腕部７５ｃが第１の角度位置から反時計回りに所定角度回動した第２の角度位置で、第１腕部７５ｂはトリガ板６０の突出部６０ｂより高い位置に移動し、トリガ板６０の回動規制を解除する。
【００３９】
なお、下シャーシ３１の底板３１ａの右側前端および後端には、係支片４１および捕捉片４６の第２腕部側に当接して、その回動範囲を規定するためのストッパ７７、７８が設けられている。
【００４０】
このように係支片４１、捕捉片４６および制止片７０が収容されている下シャーシ３１の上に重なり合うように固定された上シャーシ３２は、図４、図５に示しているように、下シャーシ３１と同様に、底板３２ａ、前板３２ｂ、後板３２ｃ、左側板３２ｄ、右側板３２ｅによって浅い矩形箱状に形成されており、前板３２ｂの中央は、下シャーシ３１の前板３１ｂの開口とともに防火扉の突起を受け入れる開口部を形成するために切欠かれており、底板３２ａの中央には、下シャーシ３１の案内溝３３とともに防火扉の突起を内部に案内するための案内溝８０が下面側から形成されている。
【００４１】
上シャーシ３２の底板３２ａの後部左端には、アーム７５の第２腕部７５ｃを通過させ、且つ後述する第１スライドレバー８５の立下げ片８６を下シャーシ３１内へ通過させるための穴８１が設けられている。
【００４２】
また、底板３２ａの後部には、一定幅のレバーガイド溝８２が右端から穴８１まで連続するように形成されている。
【００４３】
レバーガイド溝８２の右端の前後には、後述する電磁石１０１のレバー支持板１０５とロックレバー１０７を下方から支持するための支持台８３、８４が設けられている。
【００４４】
レバーガイド溝８２には、第１スライドレバー８５と第２スライドレバー９０が重なり合った状態で摺動自在に収容されている。
【００４５】
下側の第１スライドレバー８５は、レバーガイド溝８２の幅よりわずかに狭い幅を有する横長板状に形成され、その一端側（左端側）には、穴８１を通過して捕捉片４２のピン５２の左側方まで進入する立下げ片８６と、第１立上げ片８７が設けられている。また、第１スライドレバー８５の他端側（右端側）には第２立上げ片８８が設けられている。
【００４６】
第２スライドレバー９０は、第１スライドレバー８５と同様に、レバーガイド溝８２の幅よりわずかに狭い幅を有する横長板状に形成され、その一端側には、第１スライドレバー８５の第１立上げ片８７を通過させる第１スリット９１が長手方向に形成され、その側部にはアーム７５のＵ字状の第２腕部７５ｃに係合する係合片９２が形成されている。
【００４７】
また、第２スライドレバー９０の中央部には第１立上げ片９３が設けられ、その第１立上げ片９３から他端までの間には、第１スライドレバー８５の第２立上げ片８８を通過させる第２スリット９４が長手方向に形成されている。さらに、第２スライドレバー９０の他端側には第２立上げ片９５が形成されている。
【００４８】
第１スライドレバー８５の第１立上げ片８７と第２スライドレバー９０の第１立上げ片９３の間には、解除用のコイルバネ９６が掛け渡され、第１スライドレバー８５の第２立上げ片８８とガイド溝８２の右端との間には、復帰用のコイルバネ９７が掛け渡されている。
【００４９】
したがって、第１スライドレバー８５はコイルバネ９７により右方に付勢され、第２スライドレバー９０は、コイルバネ９６によって左方（第１スライドレバー８５の第１立上げ片８７側）に付勢されている。
【００５０】
レバーガイド溝８２の上部には、第１スライドレバー８５と第２スライドレバー９０の浮きを抑えるためのレバー抑え９８が取り付けられている。
【００５１】
レバー抑え９８の上方には電磁駆動装置１００が配置されている。この電磁駆動装置１００は、電磁石１０１と、電磁石１０１のコの字状のフレーム１０１ａの一方の先端に支持され、電磁石１０１が通電されたとき、その鉄心１０１ｂに一端側が吸引されて回動する駆動レバー１０２と、駆動レバー１０２の一端側を鉄心１０１ｂから離間する方向に付勢するコイルバネ１０３とを有している。
【００５２】
駆動レバー１０２の他端側には、ロック板１０４が取り付けられている。ロック板１０４ａは薄い板材からなり、駆動レバー１０４の他端側の下方に突出する突出部１０４ａを有している。
【００５３】
一方、電磁石１０１のフレーム１０１ａの後部には、レバーガイド溝８２の右部上方にオーバラップするように延びたレバー支持板１０５が設けられており、このレバー支持板１０５には、この実施形態の第５の回動レバーを構成するロックレバー１０７の一端側が回動自在に取り付けられている。
【００５４】
ロックレバー１０７の一端寄りの位置には、第２スライドレバー９０の第２立上げ片９５を挿通させる穴１０８が設けられ、駆動レバー１０２の他端側下方まで延びた他端側には、ロック板１０４の突出部１０４ａの側縁に当接係合可能な段部１０９が形成されている。
【００５５】
したがって、電磁石１０１が通電されて駆動レバー１０２が鉄心１０１ｂに吸引されると、ロック板１０４とロックレバー１０７の段部１０９との係合が解除され、ロックレバー１０７の回動規制が解除される。なお、電磁石１０１は、上シャーシ３２の後板３２ｃに取り付けられた固定板１１０に固定されている。
【００５６】
以上のように構成された係支装置３０では、係支解除状態においては、図２に示したように、捕捉片４６の第２腕部４６ｃは、案内溝３３、８０の左方に退避し、第１腕部４６ａが案内溝３３、８０と斜めに交差している。
【００５７】
また、この状態でアーム７５は直立した第１の角度位置にあり、その第１腕部７５ｂは、トリガ板６０の突出部６０ｂに当接してその回動を規制する状態になっている。なお、以下の動作説明では、係支片４１は捕捉片４６と一体的に動くものとして説明する。
【００５８】
この係支解除状態の係支装置３０に、防火扉の突起Ｐが進入すると、図６に示すように、突起Ｐによって捕捉片４６の第１腕部４６ｂが後方に押され、第１スプリング６５の付勢力に抗して反時計回りに回動する。
【００５９】
このとき、トリガ板６０の突出部６０ｂにはアーム７５の第１腕部７５ｂに当接しているため、トリガ板６０は回動しない。
【００６０】
そして、図７のように、防火扉の突起Ｐに押された捕捉片４６の第１腕部４６ｂが案内溝３３、８０とほぼ直交する位置まで回動すると、係支片４１の段部４５に制止片７０の第１腕部７０ｂが係合して、捕捉片４６の戻りが規制された状態となる。このとき、捕捉片４６の第２腕部４６ｃが案内溝３３、８０とほぼ直交するように交差するので、防火扉の突起Ｐは、案内溝３３、８０から抜けない状態に係支され、防火扉が開いた態態（平常時）となる。
【００６１】
一方、上記のように捕捉片４６が突起Ｐに押されて反時計回りに回動するとき、捕捉片４６のピン５２が左方に回動移動して、図８の（ａ）に示すように、第１スライドレバー８５を左方にスライドさせる。
【００６２】
この第１スライドレバー８５の左方への移動に伴い、コイルバネ９６で連結されている第２スライドレバー９０も左方に移動しようとするが、その立上げ片９５に係合しているロックレバー１０７の先端の段部１０９が駆動レバー１０２の下部のロック板１０４に係合していてその回動が規制されているので、第２スライドレバー９０は移動できない。
【００６３】
したがって、第１スライドレバー８５は、コイルバネ９６、９７を引き延ばしながら、捕捉片４６によって防火扉の突起Ｐが係支された状態となるまでスライド移動する。
【００６４】
そして、この係支状態から、電磁石１０１に通電がなされると、図８の（ｂ）のように、駆動レバー１０２の左端が吸着されて時計回りに回動し、ロックレバー１０７と駆動レバー１０２の係合が解除される。
【００６５】
このため、第２スライドレバー９０は、突起Ｐを係支する際に引き延ばされたコイルバネ９６の復帰力により、左方に移動してアーム７５を第１の角度位置から第２の角度位置へ回動させる。
【００６６】
これにより、図９のように、トリガ板６０の回動規制が解除され、そのトリガ板６０の回動力を受けた制止片７０が時計回りに回動して係支片４１の回動規制を解除する。
【００６７】
この回動規制の解除により、図１０のように、係支片４１と捕捉片４６とが一体的に時計回りに回動して、その第２腕部４６ｃを案内溝３３、８０の側方へ退避させ、防火扉の突起Ｐを案内溝３３、８０から抜け出させ、係支解除状態に戻る。
【００６８】
また、捕捉片４６の時計回りの回動によりピン５２が上方へ戻り、第１スライドレバー８５は、コイルバネ９７の復帰力によりピン５２に追従して右方に戻るので、第２スライドレバー９０もこれに追従して右方に戻り、ロックレバー１０７を反時計回りに回動させ、その先端をロック板１０４に係合させる状態に戻る。
【００６９】
以上説明したように、この係支装置３０では、防火扉の突起Ｐが進入する際に押されて回動する捕捉片４６の回動力を受けて第１スライドレバー８５が移動することにより、第１スライドレバー８５と第２スライドレバー９０との間に掛けられているコイルバネ９６を引き延ばして、第２スライドレバー９０を解除方向、即ち、アーム７５が第２の角度位置へ回動する方向に付勢する。そして、電磁石１０１に対する通電で駆動レバー１０２を回動駆動して、ロックレバー１０７の回動規制および第２スライドレバー９０の移動規制を解除し、コイルバネ９６に蓄積した付勢力で第２スライドレバー９０を移動させて、アーム７５を第２の角度位置へ回動させ、防火扉の突起Ｐに対する係支状態を解除している。
【００７０】
このように防火扉の突起Ｐが進入したときに蓄えたコイルバネ９６の力を利用して、第２スライドレバー９０をスライドさせており、電磁石１０１は、この第２スライドレバー９０の移動を規制しているロックレバー１０７の規制を解除するためにだけに使用されるので、従来のように、ソレノイドによって直接第２スライドレバーを駆動する機構に比べ、格段にその消費電力を低減することができる。
【００７１】
また、この実施形態のように、ロックレバー１０７の先端の段部に薄いロック板１０４の側縁を当接させて回動を規制しているので、少ない駆動量でその係合を解除することができ、電磁石１０１の通電時間を短くすることができ、より省電力化できる。
【００７２】
また、電磁石１０１により駆動レバー１０２を回動させて解除する構造なので、ソレノイドのように軸を引き込む構造に比べて、外力の影響を受けにくく、外力で防火扉の突起に対する係支状態が解除される恐れが少ない。
【００７３】
なお、本発明は上記実施形態に限定されるものではなく、各レバーの形状、係合構造、配置等は種々変更することが可能であり、例えば、前記実施形態では、ロックレバー１０７の一端側にその回動支点を設けていたが、回動支点を中間部に設けてもよい。
【図面の簡単な説明】
【００７４】
【図１】本発明の実施形態の係支装置を正面上方から見た図
【図２】実施形態の下シャーシ内の構造を示す図
【図３】実施形態の下シャーシ内の構造を示す分解図
【図４】実施形態の上シャーシ内の構造を示す図
【図５】実施形態の上シャーシ内の構造を示す分解図
【図６】実施形態の下シャーシ内の各部の係支状態までの動作を説明するための図
【図７】実施形態の下シャーシ内の各部の係支状態までの動作を説明するための図
【図８】実施形態の解除機構の動作を説明するための図
【図９】実施形態の下シャーシ内の各部の解除状態までの動作を説明するための図
【図１０】実施形態の下シャーシ内の各部の解除状態までの動作を説明するための図
【図１１】従来の解除機構の動作説明図
【図１２】バランス形の解除機構の構成図
【符号の説明】
【００７５】
３０……係支装置、３１……下シャーシ、３２……上シャーシ、３３……案内溝、３４……第１の軸、３５……第２の軸、３６……第３の軸、４１……係支片、４１ａ……基部、４１ｂ……第１腕部、４１ｃ……第２腕部、４２……穴、４３……立上げ片、４５……段部、４６……捕捉片、４６ａ……基部、４６ｂ……第１腕部、４６ｃ……第２腕部、４７……穴、４８〜５０……立上げ片、５２……ピン、６０……トリガ板、６０ａ……基部、６０ｂ……突出部、６１……穴、６２……立下げ片、６３……立上げ片、７０……制止片、７０ａ……基部、７０ｂ……第１腕部、７０ｃ……第２腕部、７５……アーム、７５ａ……基部、７５ｂ……第１腕部、７５ｃ……第２腕部、８０……案内溝、８１……穴、８２……レバーガイド溝、８５……第１スライドレバー、８６……立下がり片、８７、８８……立上げ片、９０……第２スライドレバー、９２……係合片、９３、９５……立上げ片、９６……コイルバネ、９８……レバー抑え、１００……電磁駆動装置、１０１……電磁石、１０２……駆動レバー、１０４……ロック板、１０７……ロックレバー、１０９……段部
【図１】
2005220691.tif 000003
【図２】
2005220691.tif 000004
【図３】
2005220691.tif 000005
【図４】
2005220691.tif 000006
【図５】
2005220691.tif 000007
【図６】
2005220691.tif 000008
【図７】
2005220691.tif 000009
【図８】
2005220691.tif 000010
【図９】
2005220691.tif 000011
【図１０】
2005220691.tif 000012
【図１１】
2005220691.tif 000013
【図１２】
2005220691.tif 000014